(57)【要約】【課題】経済性に優れ、かつ、使用者の身体を安全に支持することが可能な、可動式の手摺りを提供すること。【解決手段】壁面Ｗに固定されたブラケット部材１と、ブラケット部材１に対して回動可能に支持されたハンドレール部材２とを備え、ハンドレール部材２は、短手方向の寸法よりも厚み方向の寸法の方が小さな、扁平な長尺物体であり、使用者の手が掴むことのできる面である手摺り面２ａと、使用者の肘を置くことのできる面である肘置き面２ｂとを有し、ハンドレール部材２をブラケット部材１に対して回動させることにより、手摺り面２ａが上方に配位された状態と、肘置き面２ｂが上方に配位された状態を切り換え可能である手摺りを提供する。【選択図】          図２
2006124993.tif 000002
【特許請求の範囲】
【請求項１】
ブラケット部材（１）とハンドレール部材（２）とを備え、
ブラケット部材（１）は、建物などの壁面（Ｗ）に固定されたものであり、
ハンドレール部材（２）は、ブラケット部材（１）に対して、壁面（Ｗ）に平行である中心軸（Ｃ）を中心として回動可能に支持されたものであり、
ハンドレール部材（２）は、短手方向の寸法よりも厚み方向の寸法の方が小さな、扁平な長尺物体であって、かつ、上記中心軸（Ｃ）の延びる方向に長手方向が沿う形態とされており、
使用者の手が掴むことのできる面である手摺り面（２ａ）と、使用者の肘を置くことのできる面である肘置き面（２ｂ）とを有し、
ハンドレール部材（２）をブラケット部材（１）に対して回動させることにより、手摺り面（２ａ）が上方に配位された状態と、肘置き面（２ｂ）が上方に配位された状態を切り換え可能であって、
手摺り面（２ａ）は、ハンドレール部材（２）における短手方向の一端付近の表面とされ、
肘置き面（２ｂ）は、ハンドレール部材（２）における厚み方向の一端側の表面とされたことを特徴とする手摺り。
【請求項２】
ブラケット部材（１）が、建物などの壁面（Ｗ）に固定される固定部（１１）と、固定部（１１）に対し、上記の中心軸（Ｃ）を中心として回動可能な回動部（１２）とを備えたものであり、
ハンドレール部材（２）は、上記の回動部（１２）によって支持されたものであり、
この支持は、ハンドレール部材（２）の取付面（２ｃ）においてなされたものであり、
上記の取付面（２ｃ）は、ハンドレール部材（２）において、上記の肘置き面（２ｂ）とは厚み方向における反対側に位置する面であって、
これにより、ハンドレール部材（２）が、上記の中心軸（Ｃ）から回動部（１２）の固定部（１１）に対する回動半径分の距離を置いて支持されており、
上記のように、手摺り面（２ａ）が上方に配位された状態から肘置き面（２ｂ）が上方に配位された状態へと切り換えられる際に、壁面（Ｗ）と手摺り面（２ａ）とが接近するように移動するものとされ、
手摺り面（２ａ）が円周面から構成されたものであって、
肘置き面（２ｂ）が平面から構成されたものであることを特徴とする、請求項１に記載の手摺り。
【請求項３】
ハンドレール部材（２）が、肘置き面（２ｂ）が上方に配位された状態において、
手摺り面（２ａ）が肘置き面（２ｂ）よりも上方には存在せず、
取付面（２ｃ）の延長面より下方には存在するような形状であることを特徴とする、請求項２に記載の手摺り。
【発明の詳細な説明】
【技術分野】
【０００１】
本願発明は、手摺り、詳しくは肘置きを兼ねることのできる手摺りに関するものである。
【背景技術】
【０００２】
【特許文献１】実公平６−４３３３６号公報
【特許文献２】実開平６−５４８２４号公報
【特許文献３】特開２０００−２６５６３５号公報
【０００３】
住宅などの建物の廊下や階段などにおける壁面には、手摺りが設けられることが多い。この手摺りは、長尺部材からなるハンドレール部材を、ブラケット部材を介して壁面に取り付けた形態が一般的である。
【発明の開示】
【発明が解決しようとする課題】
【０００４】
従来、壁面に対して移動可能とした、可動式の手摺りが周知である。例えば、必要に応じて壁面に対して引き出したり、壁面に密着させることができるもの（特許文献１や特許文献３に記載）、壁面に設けられた空間に手摺りを収納可能なもの（特許文献２に記載）がある。これらの発明は、手摺りを設けた通路などを、手摺りを移動させることで、必要に応じて広く使用することができるという効果を有する。
【０００５】
しかしながら、これら従来の発明は、手摺りを必要に応じて邪魔にならないようにできるだけのものであって、不使用時には手摺りが遊んだ状態となるため、経済性の観点からは改良の余地を有するものであった。
【０００６】
一方、最近の高齢化社会の到来により、足腰が弱りつつある高齢者にとって使い易い住宅設備が望まれている。また、高齢者以外でも、運動機能が低下した人に対する、設備のバリアフリー化が社会一般で望まれている。
【０００７】
例えば、家庭において、玄関の上がり框に腰掛けて靴を履き、その後立ち上がる動作が、人によっては困難な場合があり、その際において、玄関の壁面や下駄箱などを支えにして立ち上がっていた。しかし、このような場合、身体の支持が不安定になりがちであって、かえって転倒などの危険性を増大させるものであった。このような場面は、玄関に限らず、トイレや浴室など、家庭内のあらゆる場所で起こりうるものである。
【０００８】
本願発明は上記のことに鑑み、経済性に優れ、かつ、使用者の身体を安全に支持することが可能な、可動式の手摺りを提供することを課題とする。
【課題を解決するための手段】
【０００９】
上記課題を解決するために、本願の請求項１に記載の発明は、ブラケット部材１とハンドレール部材２とを備え、ブラケット部材１は、建物などの壁面Ｗに固定されたものであり、ハンドレール部材２は、ブラケット部材１に対して、壁面Ｗに平行である中心軸Ｃを中心として回動可能に支持されたものであり、ハンドレール部材２は、短手方向の寸法よりも厚み方向の寸法の方が小さな、扁平な長尺物体であって、かつ、上記中心軸Ｃの延びる方向に長手方向が沿う形態とされており、使用者の手が掴むことのできる面である手摺り面２ａと、使用者の肘を置くことのできる面である肘置き面２ｂとを有し、ハンドレール部材２をブラケット部材１に対して回動させることにより、手摺り面２ａが上方に配位された状態と、肘置き面２ｂが上方に配位された状態を切り換え可能であって、手摺り面２ａは、ハンドレール部材２における短手方向の一端付近の表面とされ、肘置き面２ｂは、ハンドレール部材２における厚み方向の一端側の表面とされたことを特徴とする手摺りを提供する。
【００１０】
また、本願の請求項２に記載の発明は、ブラケット部材１が、建物などの壁面Ｗに固定される固定部１１と、固定部１１に対し、上記の中心軸Ｃを中心として回動可能な回動部１２とを備えたものであり、ハンドレール部材２は、上記の回動部１２によって支持されたものであり、この支持は、ハンドレール部材２の取付面２ｃにおいてなされたものであり、上記の取付面２ｃは、ハンドレール部材２において、上記の肘置き面２ｂとは厚み方向における反対側に位置する面であって、これにより、ハンドレール部材２が、上記の中心軸Ｃから回動部１２の固定部１１に対する回動半径分の距離を置いて支持されており、上記のように、手摺り面２ａが上方に配位された状態から肘置き面２ｂが上方に配位された状態へと切り換えられる際に、壁面Ｗと手摺り面２ａとが接近するように移動するものとされ、手摺り面２ａが円周面から構成されたものであって、肘置き面２ｂが平面から構成されたものであることを特徴とする、請求項１に記載の手摺りを提供する。
【００１１】
また、本願の請求項３に記載の発明は、ハンドレール部材２が、肘置き面２ｂが上方に配位された状態において、手摺り面２ａが肘置き面２ｂよりも上方には存在せず、取付面２ｃの延長面より下方には存在するような形状であることを特徴とする、請求項２に記載の手摺りを提供する。
【発明の効果】
【００１２】
本願の請求項１に記載の発明は、ハンドレール部材２を、手摺り面２ａが上方に配位された状態と、肘置き面２ｂが上方に配位された状態を切り換え可能とすることにより、肘を置くことなどによって、使用者の身体を安全に支持することが可能な、可動式の手摺りを提供することができたものである。そして、上記の各状態のいずれにおいても、手摺りが機能を果たすものであるため、従来のように遊んでしまう状態がなく、経済性に優れるものである。
【００１３】
また、本願の請求項２に記載の発明は、上記請求項１に記載の発明の効果に加え、手摺り面２ａが上方に配位された状態から肘置き面２ｂが上方に配位された状態へと切り換えられる際に、壁面Ｗと手摺り面２ａとが接近するように移動するものとされたことにより、肘置き面２ｂが上方に配位された状態において、ハンドレール部材２と壁面Ｗとの間の隙間を小さくでき、使用者が肘置き面２ｂに肘などを置き損なうことがなく、安全な手摺りを提供することができたものである。
【００１４】
また、本願の請求項３に記載の発明は、上記請求項２に記載の発明の効果に加え、手摺り面２ａが片側に寄った形状とされたことにより、肘置き面２ｂを、使用者の肘などを置きやすいものとできたものである。
【発明を実施するための最良の形態】
【００１５】
以下、図面に基づき本願発明の実施の形態の一例をとりあげて説明する。図１〜図３は、本例の手摺りを、手摺り面が上方に配位された状態として使用する場合を示したものであり、図４〜図６は、本例の手摺りを、肘置き面が上方に配位された状態として使用する場合を示したものである。
【００１６】
本願発明に係る手摺りは、従来から存在する手摺りと同様に、ハンドレール部材２とブラケット部材１とを備えたものである。ハンドレール部材２は、建物などの壁面Ｗから所定距離離れた位置に、使用者の手が触れられるように配位されたものである。ブラケット部材１は、ハンドレール部材２を上記のように支持するため、一端が壁面に固定され、他端がハンドレール部材２に固定されたものである。
なお、上記の所定距離は、ハンドレール部材２と壁面Ｗとの間に、図２に示す状態において、使用者が手摺り面２ａを掴んだ際に、手が壁面Ｗに触れてしまうことのない間隔  Ｌ１が確保され、かつ、図５に示す状態において、ハンドレール部材２と壁面Ｗとの間が、使用者の肘などが落ち込むことのない間隔Ｌ２とできる距離とすることが望ましい。
【００１７】
本例の手摺りにおいて、ハンドレール部材２は、図１及び２や図４及び５に示すように、短手方向の寸法よりも厚み方向の寸法の方が小さな、扁平な長尺物体とされている。このハンドレール部材２の長手方向は、図３や図６に示すように、壁面Ｗと平行な中心軸Ｃ（後述）の延びる方向に沿うものとされている。
このハンドレール部材２には、機能上異なる面であって、使用者の手が掴むことのできる面である手摺り面２ａと、使用者の肘を置くことのできる面である肘置き面２ｂとを有する。
【００１８】
ハンドレール部材２の断面形状は、短手方向の一端が膨らんだ形態とされている。具体的には、後述のようにハンドレール部材２がブラケット部材１に回動可能に支持され、図５に示すように、肘置き面２ｂが上方に配位された状態において、手摺り面２ａが肘置き面２ｂよりも上方には存在せず、取付面２ｃを延長させた仮想の面である延長面より下方には存在するような、断面略Ｐ形とされている。これにより、使用者が肘置き面２ｂに肘などを置く際に、手摺り面２ａに引っ掛かることがない。
【００１９】
本例のハンドレール部材２において、手摺り面２ａは、ハンドレール部材２における短手方向の一端付近の表面とされ、肘置き面２ｂは、ハンドレール部材２における厚み方向の一端側の表面とされたものである。詳しくは、図２や図５に示すように、手摺り面２ａが、ハンドレール部材２における短手方向の一端に形成された円周面であり、肘置き面２ｂが、ハンドレール部材２における厚み方向の一端側のうちの平面である。
ここで、手摺り面２ａの曲率や、肘置き面２ｂの短手寸法は、使用者の腕や手のサイズに合わせ、最適な寸法にて実施すれば良い。また、ハンドレール部材２の長手寸法についても、本例では４００〜４５０mmで実施するものとしているが、もっと短いものや長いものなど、種々の寸法での実施が可能である。
【００２０】
また、本例では、ハンドレール部材２の表面を、手摺り面２ａと肘置き面２ｂとに区分しているが、実際には機能上の観点から、必ずしも２つの面が分かれて存在しているものではなく、各面２ａ，２ｂの一部が重なり合った状態、つまり、使用者の手が掴むことのできる面でもあり、使用者の肘を置くことのできる面（部分）が存在することもあり得る。逆に、ハンドレール部材２を、本例とは異なる断面形状を有するものとした場合、例えば、ハンドレール部材２の側面視である図７（Ａ）に示すように、手摺り部２１と肘置き部２２に分離して形成し、両者を連結部材２３で結んだものとするなどして、手摺り面２ａと肘置き面２ｂとが、物理的にも離れて存在したものとしても良い。
【００２１】
ハンドレール部材２の形態については、本例のものに限られるものではなく、断面形状が長方形や長円形など、種々のものに変更して実施し得る。
また、本例のハンドレール部材２は、長手方向において断面形状（断面積）が一定とされているが、位置により断面形状や断面積を変化させたものであっても良い。
また、肘置き面２ｂを、肘を置いた際に、肘が滑りにくいように、緩やかな凹状の湾曲面として形成しても良い。このように、種々の形態で実施可能である。
また、本例のハンドレール部材２は木製のものであって、ブラケット部材１に対してねじ止めにより固定されたものであるが、金属製や樹脂製など、種々の材質での実施が可能である。また、手摺り面２ａや肘置き面２ｂの表面を滑りにくくするために、ゴムなどの樹脂製シートを貼り付けたものとしても良い。
【００２２】
一方、ブラケット部材１は、図２や図５に示すように、建物などの壁面Ｗに固定されたものであり、ハンドレール部材２を、壁面Ｗに対して平行に支持することのできるものである。
本例のブラケット部材１は、建物などの壁面Ｗに固定される固定部１１と、固定部１１に対し、回動可能な回動部１２とを備えたものである。ハンドレール部材２は、上記の回動部１２によって支持されている。
【００２３】
上記の固定部１１に対する回動部１２の回動に際して、その回動中心となる中心軸Ｃは、本例においては、図３や図６に示すように、壁面Ｗと平行とされている。よって、中心軸Ｃはブラケット部材１の内部を通るものである。そして、この回動部１２によって支持されたハンドレール部材２は、中心軸Ｃを中心として回動可能となる。
【００２４】
上記の支持は、ハンドレール部材２の取付面２ｃにおいてなされたものである。この取付面２ｃは、ハンドレール部材２において、上記の肘置き面２ｂとは厚み方向における反対側に位置する面であって、これにより、ハンドレール部材２が、上記の中心軸Ｃから所定の距離、つまり、回動部１２の固定部１１に対する回動半径分の距離を置いて支持される。
なお本例では、上記のように、中心軸Ｃがブラケット部材１の内部を通るものとされているが、例えば、図７（Ｂ）に示すように、ブラケット部材１のうち、回動部１２を含む一部をハンドレール部材２の内部に埋め込むことにより、中心軸Ｃがハンドレール部材２の内部を通るものとしても良い。
ハンドレール部材２の取付面２ｃとブラケット部材１の回動部１２との連結は、本例の場合、木ねじによってなされているが、これに限られず、溶接、接着、ダボ、あり溝、リベットなど、種々の形式の締結手段によって連結することができる。
また、本例では、各図に示すように、１本のハンドレール２に対して、２つのブラケット部材１を用いるものであって、ハンドレール２が２箇所で支持されているが、これに限られるものではなく、３箇所以上で支持されたものとしても良い。また、１箇所でのみ支持されたものであっても構わない。
【００２５】
ブラケット部材１においては、固定部１１と回動部１２との間で、所定の位置で固定するための位置調整手段が設けられている。この所定の位置とは、本例では、回動部１２に支持されたハンドレール部材２を回動軸Ｃを中心に回動させ、手摺り面２ａが上方に配位された状態の位置と、肘置き面２ｂが上方に配位された状態の位置との２つの位置を示す。
【００２６】
本例における位置調整手段について、図８を参照しつつ説明する。
固定部１１の内部に設けられた、ばねなどからなる付勢部材３によって付勢された可動栓４ａ，４ｂが、固定部１１に設けられた貫通穴１１ａ，１１ｂに挿入されることによって、固定部１１と回動部１２の位置関係が固定される。
詳しくは、図２に示すように、一方側の貫通穴１１ａが、中心軸Ｃを基準として上方に設けられたものであり、他方側の貫通穴１１ｂが、中心軸Ｃを基準として壁面Ｗ側の側方に設けられたものである。そして、各貫通穴１１ａ，１１ｂは、中心軸Ｃを基準として  ９０°の位置関係とされている。
【００２７】
上記の付勢部材３は、回動部１２の内部に設けられた取付凹部１２ａに嵌められるように支持される。取付凹部１２ａは回動部１２の回動に伴い、固定部１１に対して回動するため、固定部１１に対する回動部１２の位置関係により、付勢部材３によって付勢される可動栓４ａ，４ｂが変わることとなる。具体的には、ハンドレール部材２において、図２に示すように、手摺り面２ａが上方に配位された状態では可動栓４ａが、肘置き面２ｂが上方に配位された状態では可動栓４ｂが付勢部材３によって付勢され、それぞれに対応する貫通穴１１ａ，１１ｂから外部に突出する。一方その際、付勢部材３に付勢されていない可動栓４ａ，４ｂは、貫通穴１１ａ，１１ｂに対して自由に移動可能な状態にあり、回動部１２の回動を邪魔しないようになされている。
【００２８】
このように、各貫通穴１１ａ，１１ｂに対して、それぞれ対応する可動栓４ａ，４ｂが貫通することによって、ブラケット部材１に対するハンドレール部材２の位置関係が固定される。
そして、ブラケット部材１に対してハンドレール部材２を回動させるには、付勢部材３によって付勢された可動栓４ａ，４ｂを貫通穴１１ａ，１１ｂに手で押し込むことより、回動部１２を回動可能とすれば良い。
【００２９】
上記の位置調整手段は、本例の構造のものに限られるものではなく、固定部１１に対して回動部１２を所定の位置で固定することができるものであれば、歯車とばねとを組み合わせたものなど、種々の構造での実施が可能である。また、各貫通穴１１ａ，１１ｂのうち少なくとも１つをねじ止めにより固定し、ハンドレール部材２を回動させる際には固定されていたねじを緩めるような構造とすることも可能である。また、本例では、ハンドレール部材２を回動させるに当たり、付勢部材３によって付勢された可動栓４ａ，４ｂを貫通穴１１ａ，１１ｂに手で押し込むことを要するが、所定値よりも大きな力をハンドレール部材２に加えることのみによって、固定部１１に対して回動部１２を回動可能な状態にできる構造としても良い。
【００３０】
上記のようにして、壁面Ｗに固定部１１が固定されたブラケット部材１に、ハンドレール部材２が取り付けられたことにより、ブラケット部材１に対するハンドレール２の位置を変更することができる。本例では、ハンドレール２の手摺り面２ａが上方に配位された状態と、肘置き面２ｂが上方に配位された状態を切り換え可能とできる。
ハンドレール２は、上記のように肘置き面２ｂの反対側の取付面２ｃにおいてブラケット部材１に支持されており、これにより、図１や図２に示すように、手摺り面２ａが上方に配位された状態から、図４や図５に示すように、肘置き面２ｂが上方に配位された状態へと切り換えられる際に、壁面Ｗと手摺り面２ａとが接近するように移動するものとされる。
【００３１】
つまり、図２に示した状態では、ハンドレール部材２と壁面Ｗとの間に、使用者が手摺り面２ａを掴んだ際に、手が壁面Ｗに触れてしまうことのない間隔Ｌ１が確保されたものであり、ハンドレール部材２を回動させた後である、図５に示した状態では、ハンドレール部材２と壁面Ｗとの間が、使用者の肘などが落ち込むことのない間隔Ｌ２とされたものである。
これにより、肘置き面２ｂが上方に配位された状態において、ハンドレール部材２と壁面Ｗとの間の隙間を小さくでき、使用者が肘置き面２ｂに肘などを置き損ない、壁面Ｗとハンドレール部材２の間に嵌まって怪我をするようなことがなく、安全性を高めることができる。
【００３２】
よって、手摺り面２ａが上方に配位された状態では、従来から存在する手摺りと同様の使用感で、使用者が手摺り面２ａを確実に掴むことができる。
そして、図２に示した状態から、ハンドレール部材２を、壁面Ｗと手摺り面２ａとが接近するように回動軸Ｃを中心に回動させ、肘置き面２ｂが上方に配位された状態とする。
このように、肘置き面２ｂが上方に配位された状態では、使用者が肘置き面２ｂに肘や腕や掌を置くことができる。
上記のように、使用者の好みや、立ち座りなどの体位に応じて、ハンドレール部材２で適切に身体を支えることが可能であるため、使用者が身体のバランスを崩して転倒する可能性を減らすことができる。よって、本願発明は、現代の高齢化社会や、住宅設備のバリアフリー化の要請に確実に応えることのできる手摺りを提供できたものである。
【図面の簡単な説明】
【００３３】
【図１】本例の手摺りにおいて、手摺り面が上方に配位された状態を示す斜視図である。
【図２】本例の手摺りにおいて、手摺り面が上方に配位された状態を示す側面図である。
【図３】本例の手摺りにおいて、手摺り面が上方に配位された状態を示す底面図である。
【図４】本例の手摺りにおいて、肘置き面が上方に配位された状態を示す斜視図である。
【図５】本例の手摺りにおいて、肘置き面が上方に配位された状態を示す側面図である。
【図６】本例の手摺りにおいて、肘置き面が上方に配位された状態を示す底面図である。
【図７】（Ａ）は、ハンドレール部材の他の形態を示す、側面視の説明図であり、（Ｂ）は、手摺りの他の実施例を示す、側面視の説明図である。
【図８】本例の手摺りにおける、ブラケット部材の構造を示す分解斜視図である。
【符号の説明】
【００３４】
１      ブラケット部材
１１    固定部
１２    回動部
２      ハンドレール部材
２ａ    手摺り面
２ｂ    肘置き面
２ｃ    取付面
Ｃ      中心軸
Ｗ      壁面
【図１】
2006124993.tif 000003
【図２】
2006124993.tif 000004
【図３】
2006124993.tif 000005
【図４】
2006124993.tif 000006
【図５】
2006124993.tif 000007
【図６】
2006124993.tif 000008
【図７】
2006124993.tif 000009
【図８】
2006124993.tif 000010